(57)【要約】【課題】  従来の文献は、消しゴムに、連結具を利用しひもを取付け、ひもの先には、消しゴムを物に固定するための止め具を設けた構成である。従って、消しゴムの紛失、転がり解消を意図するが、消しゴムの使用が拘束されること、使い勝手が悪いこと、等の問題を抱えている。消しゴムを自由に使用するには、その改良が必要である。【解決手段】  本発明は、貫通孔を備えた消しゴムと、貫通孔に嵌挿されるビニール管と、ビニール管を被嵌したストラップと、ストラップに取り付けたグッズとで構成したストラップ付き消しゴムであって、ストラップが環状の構造では、ビニール管を介在して、貫通孔に嵌挿し、開放端部を結合手段で連結する構成、貫通孔に、消しゴムの端部に到る切欠き溝を形成する構成にした。消しゴムの転がり棒と、紛失解消にある。【選択図】      図１
2013180492.tif 000002
【特許請求の範囲】
【請求項１】
消しゴムと、この消しゴムに設けた貫通孔と、この貫通孔に嵌挿されるビニール管と、このビニール管に貫通されるストラップと、このストラップに取り付けたグッズとで構成したストラップ付き消しゴムであって、
このストラップが環状の構造では、ビニール管を介在して、前記貫通孔に嵌挿し、その開放端部を結合手段で連結する構成か、又は前記貫通孔に、消しゴムの端部に到る切欠き溝を形成する構成かにすることを特徴としたストラップ付き消しゴム。
【請求項２】
消しゴムと、この消しゴムに設けた貫通孔と、この貫通孔に嵌挿されるビニール管と、このビニール管に貫通されるストラップと、このストラップに取り付けたグッズとで構成したストラップ付き消しゴムであって、
このストラップの両端部が係止と、係止解除できる構造では、ビニール管を、前記貫通孔に嵌挿し、このビニール管にストラップの両端部を貫通し、この両端部に設けた係止部と、被係止部を係止して環状にすることを特徴としたストラップ付き消しゴム。
【請求項３】
消しゴムと、この消しゴムに設けたクリップと、このクリップの自由側に取付けたストラップと、このストラップに取付けたグッズとで構成したストラップ付き消しゴムであって、
このクリップの挾持側の少なくとも一方内面に、ストッパーを付設することを特徴としたストラップ付き消しゴム。
【請求項４】
請求項１〜請求項３に記載のストラップ付き消しゴムであって、
前記ストラップには、チェーンを介在し、このストラップに前記グッズを取付ける構成としたことを特徴としたストラップ付き消しゴム。
【請求項５】
請求項１〜請求項３に記載のストラップ付き消しゴムであって、
前記ストラップには、前記グッズを自由に係止、又は係止解除できる繋ぎ具、又はフック、面ファスナーとすることを特徴としたストラップ付き消しゴム。
【請求項６】
請求項１〜請求項３に記載のストラップ付き消しゴムであって、
前記グッズは、栞、モニュメント、又は擬似動植物の如き、各人が希望する商品としたことを特徴としたストラップ付き消しゴム。
【発明の詳細な説明】
【技術分野】
【０００１】
本発明は、ストラップ付き消しゴムに関する。
【背景技術】
【０００２】
この種のストラップ付き消しゴムに関しては、下記の示す文献１〜５において、開示されているように、種々の構造がある。その概要を、説明する。文献１〜３においては、消しゴムに、連結具を利用してひもが取付けられ、このひもの先には、消しゴムを物に固定するための止め具を設けた構成であって、この文献１〜３は、実開昭４８−７１３８号公報、実開昭５３−４６２４８号公報と、実開昭５５−８５８９７号公報である。これらの考案は、消しゴムの紛失、転がり解消を意図するが、消しゴムの使用が拘束されること、使い勝手が悪いこと、等の問題を抱えている。また、他の文献として、文献４、５においては、消しゴムをひも付きケースに収容する構成であって、この文献４、５は、特開２００２−２１８９号公報と、特開２００６−１２６０号公報である。この発明は、ひもを、文房具、机に固定することで、前記文献１〜３と同じ効果を意図するが、同じような問題を抱えている。
【０００３】
上記に鑑み、本発明は、次のようなことを目的とする。
イ）  消しゴムへのストラップ、及びグッズの取付けを容易とすること、また、確実に取付け可能とすること、等である。
ロ）  消しゴムを持つ楽しみと、グッズとしての利用価値・商品価値の向上とを図ること、等である。
ハ）  消しゴムとしての役割と、グッズとしての役割とを、それぞれ達成するとともに、それぞれの目的を、一つの持ち物で、同時に達成すること、等である。
ニ）  ストラップの構造を、環状ひもと、チェーン、又は玉チェーンとすることで、このストラップの機能的・弾性的な特徴と、ストラップの変化と、ストラップの柔軟性の向上等を図る。
【０００４】
【特許文献１】実開昭４８−７１３８号公報
【特許文献２】実開昭５３−４６２４８号公報
【特許文献３】実開昭５５−８５８９７号公報
【特許文献４】特開２００２−２１８９号公報
【特許文献５】特開２００６−１２６０号公報
【発明の概要】
【発明が解決しようとする課題】
【０００５】
前述の如く、文献１〜５において、開示されている構造は、目的とする特徴は発揮できる。しかしながら、本発明が意図する、前記イ）〜ニ）に掲げた目的を達成するには、十分でなく、また、構造的にも、達成は期待できない。
【０００６】
上記に鑑み、本発明は、前記イ）〜ニ）に掲げた目的を、確実、かつ簡易に達成することにある。
【課題を解決するための手段】
【０００７】
以上のイ）〜ニ）に掲げた目的を、確実、かつ簡易に達成するために、下記の発明を提案する。
【０００８】
請求項１は、消しゴムと、この消しゴムに設けた貫通孔と、この貫通孔に嵌挿されるビニール管と、このビニール管に貫通されるストラップと、このストラップに取り付けたグッズとで構成したストラップ付き消しゴムであって、
このストラップが環状の構造では、ビニール管を介在して、前記貫通孔に嵌挿し、その開放端部を結合手段で連結する構成か、又は前記貫通孔に、消しゴムの端部に到る切欠き溝を形成する構成かにすることを特徴としたストラップ付き消しゴムである。
【０００９】
請求項２は、消しゴムと、この消しゴムに設けた貫通孔と、この貫通孔に嵌挿されるビニール管と、このビニール管に貫通されるストラップと、このストラップに取り付けたグッズとで構成したストラップ付き消しゴムであって、
このストラップの両端部が係止と、係止解除できる構造では、ビニール管を、前記貫通孔に嵌挿し、このビニール管にストラップの両端部を貫通し、この両端部に設けた係止部と、被係止部を係止して環状にすることを特徴としたストラップ付き消しゴムである。
【００１０】
請求項３は、消しゴムと、この消しゴムに設けたクリップと、このクリップの自由側に取付けたストラップと、このストラップに取付けたグッズとで構成したストラップ付き消しゴムであって、
このクリップの挾持側の少なくとも一方内面に、ストッパーを付設することを特徴としたストラップ付き消しゴムである。
【００１１】
請求項４は、請求項１〜請求項３に記載のストラップ付き消しゴムであって、
前記ストラップには、チェーンを介在し、このストラップに前記グッズを取付ける構成としたことを特徴としたストラップ付き消しゴムである。
【００１２】
請求項５は、請求項１〜請求項３に記載のストラップ付き消しゴムであって、
前記ストラップには、前記グッズを自由に係止、又は係止解除できる繋ぎ具、又はフック、面ファスナーとすることを特徴としたストラップ付き消しゴムである。
【００１３】
請求項６は、請求項１〜請求項３に記載のストラップ付き消しゴムであって、
前記グッズは、栞、モニュメント、又は擬似動植物の如き、各人が希望する商品としたことを特徴としたストラップ付き消しゴムである。
【発明の効果】
【００１４】
請求項１の発明は、消しゴムと、消しゴムに設けた貫通孔と、貫通孔に嵌挿されるビニール管と、ビニール管に貫通されるストラップと、ストラップに取り付けたグッズとで構成したストラップ付き消しゴムであって、
ストラップが環状の構造では、ビニール管を介在して、貫通孔に嵌挿し、開放端部を結合手段で連結する構成か、又は貫通孔に、消しゴムの端部に到る切欠き溝を形成する構成かにすることを特徴としたストラップ付き消しゴムである。
【００１５】
請求項２の発明は、消しゴムと、消しゴムに設けた貫通孔と、貫通孔に嵌挿されるビニール管と、ビニール管に貫通されるストラップと、ストラップに取り付けたグッズとで構成したストラップ付き消しゴムであって、
ストラップの両端部が係止と、係止解除できる構造では、ビニール管を、貫通孔に嵌挿し、ビニール管にストラップの両端部を貫通し、両端部に設けた係止部と、被係止部を係止して環状にすることを特徴としたストラップ付き消しゴムである。
【００１６】
請求項３の発明は、消しゴムと、消しゴムに設けたクリップと、クリップの自由側に取付けたストラップと、ストラップに取付けたグッズとで構成したストラップ付き消しゴムであって、
クリップの挾持側の少なくとも一方内面に、ストッパーを付設することを特徴としたストラップ付き消しゴムである。
【００１７】
従って、請求項１〜３は、下記の特徴を有する。
イ）  消しゴムへのストラップ、及びグッズの取付けを容易となること、また、確実に取付け可能となること、等である。
ロ）  消しゴムを持つ楽しみと、グッズとしての利用価値・商品価値の向上とが図れること、等である。
ハ）  消しゴムとしての役割と、グッズとしての役割とを、それぞれ達成できるとともに、それぞれの目的を、一つの持ち物で、同時に達成できる。
ニ）  ストラップの構造を、環状ひもと、チェーン、又は玉チェーンとすることで、このストラップの機能的・弾性的な特徴と、ストラップの変化と、ストラップの柔軟性の向上等が図れる。
【００１８】
請求項４の発明は、請求項１〜請求項３に記載のストラップ付き消しゴムであって、
ストラップには、チェーンを介在し、ストラップにグッズを取付ける構成としたことを特徴としたストラップ付き消しゴムである。
【００１９】
従って、請求項４は、前記イ）〜ニ）の他に、下記の特徴を有する。
ホ）  ストラップに可撓性を確保することで、消しゴムの使用と、利用が容易となる。
へ）  ストラップ、及び／又は、グッズにより、怪我等の発生と、他人への傷害発生を回避できる。
【００２０】
請求項５の発明は、請求項１〜請求項３に記載のストラップ付き消しゴムであって、
ストラップには、グッズを自由に係止、又は係止解除できる繋ぎ具、又はフック、面ファスナーとすることを特徴としたストラップ付き消しゴムである。
【００２１】
従って、請求項５は、前記イ）〜ニ）の他に、下記の特徴を有する。
ト）  ストラップ、及び／又は、グッズとの、それぞれの利用と、両者の特徴を総合的に利用できること、等である。
【００２２】
請求項６の発明は、請求項１〜請求項３に記載のストラップ付き消しゴムであって、
グッズは、栞、モニュメント、又は擬似動植物の如き、各人が希望する商品としたことを特徴としたストラップ付き消しゴムである。
【００２３】
従って、請求項６は、前記イ）〜ニ）の他に、下記の特徴を有する。
チ）  グッズの利用と、その特徴を満喫できること、消しゴムの利用の有効性と、持参する楽しみと、利用の汎用化が図れること、等である。
【図面の簡単な説明】
【００２４】
【図１】本発明の全体を示した、グッズがミニチュアカーである第一実施例を示した斜視図
【図２】本発明の全体を示した、グッズがモニュメントである他の第一実施例を示した斜視図
【図３】本発明の全体を示した、グッズに時計と温度計を設けた別の第一実施例を示した斜視図
【図４−１】ストラップの要部と、ビニール管との関係を示した拡大斜視図
【図４−２】ストラップの係止部、被係止部との関係を示した拡大斜視図
【図４−３】ストラップの他の係止部、被係止部との関係を示した拡大斜視図
【図４−４】ストラップのさらに他の係止部、被係止部との関係を示した拡大斜視図
【図５】（イ）〜（ヘ）は、グッズの別の各例の斜視図、（イ）は求愛・友愛のハートを示した平面形状の飾り（根付）、（ロ）は幸福のクローバーを示した平面形状の飾り、また、（ハ）は三色でなるシンプルな平面形状の栞、（ニ）は花柄の平面形状の栞、（ホ）は可愛らしさを表現する立体形状のてんとう虫の飾り、また、（ヘ）はモニュメントで、立体形状のタワーを表現する飾り
【図６−１】本発明の全体を示した、他のストラップ（クリップ形体）と、消しゴムとの関係の第二実施例を示した斜視図
【図６−２】図６−１の側面図
【図６−３】第二実施例のクリップを示した斜視図
【図７−１】本発明の全体を示した、別のストラップ（クリップ形体）と、消しゴムとの関係の他の第二実施例を示した斜視図
【図７−２】図７−１の側面図
【図７−３】他の第二実施例のクリップを示した分解斜視図
【図８】（イ）、（ロ）は、クリップの自由端内面に設けた係止針（消しゴムとの一体性）の各態様を示した側面図
【図９−１】本発明の全体を示した、消しゴムに設けた貫通孔に繋がる切欠き溝を備えた構造の第四実施例を示した斜視図
【図９−２】第三実施例の貫通孔等、ビニール管とストラップとの関係を示した要部の斜視図
【図９−３】第三実施例の貫通孔にビニール管付きストラップを差込み支持した関係を示した要部の斜視図
【発明を実施するための形態】
【００２５】
図１〜図５に示した第一実施例を説明する（但し、共通する部品はあり得る）。
【００２６】
図中、１は消しゴムで、この消しゴム１の形状、色合い、素材等は市販製品に準ずるが、限定されない。この消しゴム１には、その適所に貫通孔２を一個、又は数個設ける。この各例では、角隅部に設けたが限定されない。
【００２７】
また、図中３はストラップで、このストラップ３は、基本的な構造として、図１、図２に示した例では、ループ形状のひも３００と玉形チェーン３０１（チェーン、ひも等も可能）と、グッズ５を取付けるループ形状の取付けひも３０２が一連に連設されている。他の例として、図４−１〜図４−４に示した一例がある。図４−１では、ひも３００にビニール管４を被嵌し、このビニール管４を貫通孔２に差込む（嵌挿する）構造である。図４−２では、ひも３００を分断３００ａ、３００ｂとし、この分断３００ａ、３００ｂの先端に係止部３００ｃと、被係止部３００ｄとを設けた構造であり、この分断３００ａ、３００ｂを、貫通孔２に通し、係止部３００ｃと被係止部３００ｄ（釦方式）とを緊締係止することで、ひも３００が環状一体化し、消しゴム１に取付けられる構造である。さらに図４−３では、ひも３００の自由端に、連結帯３００ｅを介して、開閉形態の連結具３００ｆ（リング方式）を設けた構造であり、この連結具３００ｆの開閉を利用して、貫通孔２に、ストラップ３を、消しゴム１に取付ける構造である。さらに、図４−４は、前記図４−２の他の実施例を示している。この図４−４の係止部３００ｃと被係止部３００ｄ（差込み方式）を示しているが、その使用と効果等は、前記図４−２の例に準ずる。図示しないが、分断３００ａ、３００ｂの先端に係止部３００ｃと、被係止部３００ｄの他の例としては、繋ぎ具、フック、又は面ファスナー等でも可能である。
【００２８】
図中５はグッズで、このグッズ５には、平面形状から立体形状まであって、多種に及ぶことに鑑み、全図において、それぞれの形態と、特徴とを備えた構造を開示した。その代表例、図５において例示したので、その説明をすると、（イ）は求愛・友愛のハートを示した平面形状の飾りのグッズ５で、所謂、根付としての感覚である。（ロ）は幸福のクローバーを示した平面形状の飾りのグッズ５、（イ）に準ずる。また、（ハ）は三色でなるシンプルな平面形状の栞のグッズ５で、本来の目的の他に、このように栞としての使用もあり得る。（ニ）は花柄の平面形状の栞のグッズ５で、（ハ）に準ずる。さらに、（ホ）は可愛らしさを表現する立体形状のてんとう虫の飾りのグッズ５で、その他として、「根付」としての感覚を有する。また、（ヘ）はモニュメントで、立体形状のタワーを表現する飾りのグッズ５で、（ホ）に準ずる。そして、（へ）の他の構造としては、例えば、図１〜図３の一つの各例の如く、ミニチュアカーのグッズ５と、スフィンクスのグッズ５、時計と温度計を設けたグッズ５等が考えられること、又は図示しないが、各地の名所、景観、又は宇宙空間とか、創造に基づく人、物、構造物等でも採用可能である。即ち、このグッズ５は、消しゴム１の装飾品となるので、重宝すること、特性と趣向を満喫でき、かつ他人との識別性を備えており、大変、有益である。
【００２９】
図示したストラップ３の他のストラップ３としては、例えば、図６−１から図８に示したクリップ形のストラップ３が挙げられる。このストラップ３は、軸６を中心として、対で設けられた二枚のストラップ板３ａ、３ｂでなる構造である。この二枚のストラップ板３ａ、３ｂには、わに口側３−１（自由端）と、押圧側３−２とを有しており、この二枚のストラップ板３ａ、３ｂを、軸６を支点として設ける。その使用は、消しゴム１を、ストラップ３のわに口側３−１（自由端）の両内面には、ストッパー７（突条、突起、凹凸、串刺し等を含む）を一本〜複数本設ける。そして、消しゴム１に、このストラップ３を取付けるには、ストラップ板３ａ、３ｂの押圧側３−２を押圧と、スプリング８の圧縮により、そのわに口側３−１を広げ、この広がった、わに口側３−で消しゴム１を挾み込み、所定の箇所に設置する。そして、続いて、指圧側３−２を解放することで、スプリング８の反力で、わに口側３−１が復帰し、このストッパー７で、消しゴム１を挾むことで、クリップ形のストラップ３が、消しゴム１に取付けられる構造である（取外しは、その逆の操作である）。以上の如く、スクラップ３は、押圧側３−２を把持し、内方に押圧することで、わに口側３−１を開閉する構造である。スプリング８は、わに口側３−１と、押圧側３ｂとの復帰用であり、軸６を利用して捲装されている。尚、押圧側３−２には、切条５００を設ける構造（図６−１〜図６−３参照）とか、その他グッズ３を取付け構造も可能である（図７−１〜図７−３参照）。そして、このグッズ５は、図７−３の如く、切条５００と係止手段５０１を利用して取付けることも可能である。また、この切条５００は、材料の節約と、軽量化等にも役立つ構造である。
【００３０】
さらに別のストラップ３としては、例えば、図９−１から図９−３に示した切欠き溝２００を備えた貫通孔２の構造のストラップ３が挙げられる。図９−１は、消しゴム１に設けた貫通孔２に繋がる切欠き溝２００を備えた構造であって、この切欠き溝２００を利用して、図９−２の如く、ビニール管４が外嵌されているストラップ３を圧入する。この圧入で、切欠き溝２００が拡開し、ビニール管４の差込み（嵌挿）が可能となる。この差込みを順次進めることで、ビニール管４とストラップ３が、貫通孔２に至り、ストラップ３と消しゴム１との一体化が図れる（図９−３参照）とともに、消しゴム１の復帰力で、拡大した切欠き溝２００が復帰する。この復帰で、消しゴム１とストラップ３との一体化が図れる。即ち、切欠き溝２００を利用して、ビニール管４付きストラップ３を自由に変更、かつ交換できる特徴がある。そして、ビニール管４付きストラップ３を利用することで、貫通孔２からのストラップ３の離脱防止と、ストラップ３の擦れ、引張り等による外的な要件での消しゴム１の損傷防止、又は一体化の確保等には、有効と考えられる（ビニール管４を利用するものは、同じ）。また、ビニール管４のないストラップ３を取付けできるが、ストラップ３を太径とすることが、離脱・損傷防止と、一体化の確保には、有効と考えられる。
【００３１】
本発明の使用と、その特性を述べると、ストラップ３、及びグッズ５を利用することで、消しゴム１の机、本、紙等の上での移動の容易性と、机、本、紙等からの落下防止、又は紛失防止、各人の識別性の確保と、誤解の解除等に有効であり、また、商品化の向上と、需要の喚起が図れる特性を有する。また、消しゴム１を最後まで使用できること、消しゴム１が消耗し、小さくなっても、見つけ易いこと、更には物の間に隠れていても、見つけ易い等の利点がある。また、グッズ５は、栞として利用でき、消しゴム１の装飾品として、別の用途と特性があり有益性がある（他のグッズ５も同様である）。
【００３２】
前記の如く、ストラップ３、及びグッズ５を取付けることで、例えば、消しゴム１の机等の上での移動に対しても、ストラップ３の長さを利用して、その容易性が確保されること、又はグッズ５を取付けたことで、消しゴム１は、机等の上における転がり防止と、机等からの落下防止が図れ、かつこの落下に起因する、例えば、受験での気遣い解消と、カンニング防止、或いは、試験官にかかる負担と注意義務・手間等の解消と減少化に役立つこと、また、視認性の確保等が図れること、等の有益である。この試験場における、前記利点により、例えば、整然とした試験の確保と、公平な試験が達成できること、等の如く、試験の公平・透明性が担持される。さらに、逆の観点から、例えば、消しゴム１が付設されていることで、例えば、グッズ５の保管と、紛失防止、並びに前述した各特性の確保にも役立つ利点がある。
【００３３】
尚、グッズ５、及び／又は、ストラップ３が取付け、取外し自在（着脱自在）な構造では、それぞれこれらの取替えが自由であり、このグッズ５、及び／又は、ストラップ３の利用・商品価値の向上、及び汎用性と、嗜好の向上性の確保が図れること、又は趣向・気分の向上と、物を大切にする気持ちの醸成に役立つこと、等が考えられる利点がある。
【符号の説明】
【００３４】
１            消しゴム
２            貫通孔
２００        切欠き溝
３            ストラップ
３ａ          ストラップ板
３ｂ          ストラップ板
３００        ひも
３００ａ      分断
３００ｂ      分断
３００ｃ      係止部
３００ｄ      被係止部
３００ｅ      連結帯
３００ｆ      連結具
３０１        チェーン
３０２        取付けひも
３−１        わに口側
３−２        押圧側
４            ビニール管
５            グッズ
５００        切条
５０１        係止手段
６            軸
７            ストッパー
８            スプリング
【図１】
2013180492.tif 000003
【図２】
2013180492.tif 000004
【図３】
2013180492.tif 000005
【図４−１】
2013180492.tif 000006
【図４−２】
2013180492.tif 000007
【図４−３】
2013180492.tif 000008
【図４−４】
2013180492.tif 000009
【図５】
2013180492.tif 000010
【図６−１】
2013180492.tif 000011
【図６−２】
2013180492.tif 000012
【図６−３】
2013180492.tif 000013
【図７−１】
2013180492.tif 000014
【図７−２】
2013180492.tif 000015
【図７−３】
2013180492.tif 000016
【図８】
2013180492.tif 000017
【図９−１】
2013180492.tif 000018
【図９−２】
2013180492.tif 000019
【図９−３】
2013180492.tif 000020